(57)【特許請求の範囲】
【請求項１】
光学画像形成装置の、像に影響を及ぼす光学コンポーネントのための保持装置であって、
光学コンポーネントに取り付けられ且つ当該光学コンポーネントに対して移動できない光学コンポーネント保持要素を組み込んだ画像形成装置の光軸に沿って光学コンポーネントが、軸方向に変位可能であり、
前記光学コンポーネント保持要素は調整マーキングを有し、複数の個々のマーキングが光学コンポーネントの現時点での軸方向位置を表す保持装置にして、
調整マーキング（４）の少なくとも一つの個々のマーキングを支持するためにマーキング部材（３）が設けられ、
前記マーキング部材（３）は、光学コンポーネント保持要素（２）に対し変位可能である変位位置と、光学コンポーネント保持要素（２）に対して所定の位置に固定される固定位置との間を切り替え可能なように構成され、
前記マーキング部材（３）を光学コンポーネント保持要素（２）に対して固定位置に固定するための固定手段（７、２０、２７）は、スナップ嵌めロック装置（２０）からなり、
前記スナップ嵌めロック装置は、スナップ嵌めロック部材（２０）を備え、このスナップ嵌めロック部材は一方では固定位置でマーキング部材（３）に軸方向にロックされ且つ他方では光学コンポーネント保持要素（２）にロックされ、また前記スナップ嵌めロック部材は、変位位置で、マーキング部材（３）及び／又は光学コンポーネント保持要素（２）を解放して、マーキング部材（３）と光学コンポーネント保持要素（２）の間の相対変位を許容し、
前記スナップ嵌めロック部材は、画像形成装置の外側から接触可能なスナップ嵌めリング（２０）として構成され、変位位置と固定位置の間の切り換えが上記スナップ嵌めロックリング（２０）の形状変化により引き起こされるか又は開始される、保持装置。
【請求項２】
スナップ嵌めロックリング（２０）はマーキング部材（３）と光学コンポーネント保持要素（２）の間で受け凹部（８，２８，３１）に支持され且つ円形とは異なる形状を有し、スナップ嵌めロックリング（２０）は、ロック位置で外径を有する領域（２１，２３）においてマーキングリング（３）及び／又は光学コンポーネント保持要素（２）をロックし、且つスナップ嵌めロックリング（２０）の形状の変化がその外径の変化を生じるように構成されることを特徴とする請求項１に記載の保持装置。
【請求項３】
マーキング部材（３）及び光学コンポーネント保持要素（２）が２部分として構成され、そのとき受け凹部（８，２８，３１）の領域において上記２部分（６，１５）の間の連結区分が位置していることを特徴とする請求項２に記載の保持装置。
【請求項４】
スナップ嵌めロックリング（２０）が、受け凹部（８，２８，３１）から突出する２つの切り換えクリップ（２２）を経て、画像系形成装置の外側から接触可能であることを特徴とする請求項２又は３に記載の保持装置。
【請求項５】
マーキング部材がマーキングリング（３）として構成され、固定手段（７，２０，２７）がマーキング部材（３）又は光学コンポーネント保持要素（２）に形成された歯付リング（７）からなり、前記歯付リングは、当該歯付リング（７）を相補する光学コンポーネント保持要素（２）又はマーキング部材（３）の対向部材（２７）と協働して、光学コンポーネント保持要素（２）に対するマーキング部材（３）の回転運動を阻止することを特徴とする請求項１から４までのいずれか一項に記載の保持装置。
【請求項６】
請求項１から５までのいずれか一項に記載の保持装置（１）を有する画像形成装置。
【発明の詳細な説明】
【０００１】
【発明の属する技術分野】
本発明は、請求項１の上位概念による、光学画像形成装置の、特に光学拡大装置例えば双眼鏡又は望遠鏡の、像に影響を及ぼす光学コンポーネント（部品、成分）のための、特に接眼レンズのための保持装置に関する。さらに、本発明は、そのような保持装置を組み込んだ画像形成装置に関連している。
【０００２】
【従来の技術】
上記の種類の保持装置は、接眼レンズを双眼鏡に保持するために市場で知られている。軸方向に変位可能な光学コンポーネントの助けで、双眼鏡の像距離を特に種々の視力を有する使用者のために調節することができる。一例を挙げると、双眼鏡は単眼鏡着用者によってだけではなく、欠陥のない視力を有する人によっても使用することができる。周知の接眼レンズ保持手段の欠陥は、使用者が変わるたびごとに、接眼レンズの軸方向位置の再調整が必要であることである。そのような調整は、異なる使用者のための異なる軸方向位置を一対の双眼鏡で２つの接眼レンズの各々について調節しなければならない場合には、双眼鏡接眼レンズの場合に特にむずかしくなる。
【０００３】
【発明が解決しようとする課題】
それ故、本発明の目的は、接眼レンズを種種の使用者必要条件に合わせて調節することが単純化されるように上記の種類の保持装置を改良することである。
【０００４】
【課題を解決するための手段】
この目的は、本発明により、請求項１に記載の特徴を有する保持装置により達成される。
【０００５】
マーキング部材によれば、最初の使用者は、保持装置の調節マーキング上に自分にとって最適である軸方向接眼レンズ位置を指示（強調）することができる。一方、画像形成装置が他の使用者により使用された後に、最初の使用者にとって最適な軸方向位置を、そのような指示の助けで光学的調整を必要とせずに迅速に再設定することができるだけでなく、加えて、請求項１の構成によれば、マーキング部材が使用中不注意で動かされないように確保され、且つ、請求項１の固定手段により、マーキング部材の簡単であるが信頼できる固定が可能になる。さらに、請求項１によるスナップ嵌め(snap-in)ロック装置によれば、スナップ嵌めロック部材がマーキング部材又は光学コンポーネント保持要素と一体であるスナップ嵌めロック装置の設計と比較して、間にはさんだスナップ嵌めロック部材を用いたことによりマーキング部材及び光学コンポーネント保持要素の設計に関する融通性が増大し、加えてスナップ嵌めロック部材を非常に簡単に設計することができる。
【０００８】
請求項２によるスナップ嵌めロックリングは、事実上外側から検知できないようにマーキング部材と光学コンポーネント保持要素の間に配置することができるので、スナップ嵌め機能が保持装置の内側に隠された状態に設計される。
【０００９】
請求項３による保持装置の構成要素はアンダーカットせずに構成することができる。請求項４によるスナップ嵌めロックリングは容易に接触できる。
【００１０】
請求項５によるマーキング部材によれば、高度の位置分解力でマーキング部材を固定する選択が与えられ、したがってマークされている軸方向位置の正確な指示が与えられる。
【００１１】
本発明の別の目的は、使用者が変わるときに、新しい使用者の光学必要条件に合わせて目的を調整するために容易に変更できる画像形成装置を造ることである。この追加の目的は、本発明により、請求項６の特徴を有する画像形成装置で達成される。画像形成装置の利点は、保持装置の上記の利点から生じる。
【００１２】
【発明の実施の形態】
以下、本発明の実施の形態を図面により一層詳細に説明する。
【００１３】
図１は、参照数字１で全体が示された接眼レンズ保持装置を部分分解配列斜視図で示す。接眼レンズ保持装置１のすべての構成要素がプラスチック製である。
接眼レンズ保持装置１は、図１〜５に示されていない一対の双眼鏡の構成要素である。接眼レンズ保持装置は、マーキングリング３ばかりでなく多部分接眼レンズマウント２も備えている。マーキングリング３は、一体のマーキング鼻部２９により、接眼レンズマウント２の表面５の外側から見える範囲に加工されるダイアル４上の数字読み取り式の選択可能な個々のマーキングを指示するために使用される。接眼レンズマウント２のダイアル４は、フレームに取り付けられていて且つフレームに対して移動できない双眼鏡のフレーム支持要素上の対向するマーキング（図６〜９）と協働する。接眼レンズマウント２をフレーム支持要素に対して回転させることにより、双眼鏡から知られているように、接眼レンズマウント２を接眼レンズの光軸の方向に接眼レンズとともに軸方向に変位させて、双眼鏡の像距離を調節することができる。
【００１４】
ダイアル４は、接眼レンズの光軸の周りに回転対称である接眼レンズマウント２の環状本体６上に施される。図１において、ダイアル４より上に、本体６は円周方向外歯リング７を有する。
【００１５】
外歯リング７と対向する側で、本体６の外径は、以下外周段部と呼ぶ３つの段状オフセット領域と一緒に減少しているが、これは本質的に図２及び４に見ることができる。
【００１６】
第一の外周段部８が外側歯付リング７の直ぐ上で平らな円周方向領域９に隣接している。第二の外周段部１０が続いており、その中へ一緒に６つのスナップ嵌め受け１１（その作用は後述する）が本体６の円周方向に沿って一様に間隔を置いて加工されている。第三の外周段部１２が第二の外周段部１０に隣接している。
【００１７】
第二の外周段部１０の領域において、本体６の内面領域が歯付リングセグメント１３（図２〜４参照）を有し、これらの歯付リングセグメントは、双眼鏡のフレーム支持要素（図６〜９参照）と協働するスナップ嵌め受けの間に形成されている。
【００１８】
第二の外周段部１０の領域では、本体６の内径もまた一層小さくなる。それ故、スナップ嵌め受け１１は本体６の外側と内側の間の軸方向貫通開口を意味する。
【００１９】
保持リング１５のスナップ嵌め歯１４がスナップ嵌め受け１１に係合するが、前記保持リング１５はまた接眼レンズマウント２の構成要素でもある。スナップ嵌め歯１４はロック鼻部１６で、本体６の内径の減少により第二の外周面１０の領域に形成された本体６の縁領域１７の後ろをロックする（図３と４を参照）。
【００２０】
保持リング１５の内径は、第二の外周段部１０と第三の外周段部１２の間の本体６の外径に一致する。その結果、図に示した組立位置で、保持リング１５は、半径方向で、本体６の第二の外周面１０と第三の外周面１２の間の円周面区分１８上に載ることになり、且つ軸方向では、本体６の第二の外周面１０上に載ることになる。保持装置１５の外面領域は、本体６の円周面区分１８に対向する第一の円周面区分から始まって円周段部１９を越えて、本体６の第二の外周段部１０から離れるように位置する円周区分に向かって寸法が増大している。
【００２１】
図１〜３は接眼レンズ保持装置１を固定位置に示す。この位置では、マーキングリング３は、円周方向だけではなく軸方向にも接眼レンズマウント２に対して所定の位置に固定されている。この固定は、スナップ嵌めロックリング２０により行われる。
【００２２】
スナップ嵌めロックリング２０は楕円形の基本形状を有する。この形状は、異なる直径を有するそれぞれの対向するリングセグメント対から一片として設計されている。比較的大きい直径を有する第一のリングセグメント対２１は、後述される作用を有する一体の切り換えクリップ２２を備えている。リングセグメント対２１の領域では、スナップ嵌めロックリング２０はその最大の内径と外径を有する。一層小さい内径と外径を有する、スナップ嵌めロックリング２０の第二のリングセグメント対２３は、その内面上に２つの一体のスナップ嵌め突起２４を有し、これらの突起は、リングセグメント対２１のリングセグメントに対してスナップ嵌めロックリングの円周方向に９０°だけ変位した位置でリングセグメント対２３の内径を追加して減少させている。したがって、スナップ嵌め突起２４の領域では、スナップ嵌めロックリング２０はその最小内径を有する。
【００２３】
固定位置において、スナップ嵌めロックリング２０はリングセグメント対２１のリングセグメントの領域で本体６上に載っており、そのときスナップ嵌め突起２４は、スナップ嵌めロックリング２０の軸方向に隣接する内周領域とともに、本体６の第一の外周段部８に補完的である段部を形成する（図３参照）。外周段部８と反対側の接眼レンズマウント２の側で、スナップ嵌め突起２４が保持リング１５の軸方向前面２８上に載っている。
【００２４】
固定位置において、中間スペースがスナップ嵌めロックリング２０の内周面と本体６の平らな円周領域９との間の第一のリングセグメント対２１の領域に残っている（図２参照）ので、そこに半径方向間隙がスナップ嵌めロックリング２０と本体６の間に存在する。
【００２５】
マーキングリング３には内周段部２５が形成されており、この内周段部は、２つのスナップ嵌め突起２６（図２参照）とともに、マーキングリング３に受け入れられるスナップ嵌めロックリング２０のための接眼レンズ保持装置１の固定位置で切り換えクリップ２２の領域に軸方向閉塞手段を形成する。内周段部２５に隣接する小さい方の内径のマーキングリング３の内面区分は、内歯リング２７として形成されている。スナップ嵌め突起２６の円周方向領域において、２つの半円形内歯リングセグメントが作られるように内歯リング２７が分割されている。接眼レンズ保持装置１の組立位置で、切り換えクリップ２２は内歯リング２７の分割領域により形成された中間スペースに位置し且つ半径方向では内歯リングセグメント２７の間に且つ軸方向ではスナップ嵌め突起２６によってロックされている。固定位置では、マーキングリング３の内歯リング２７が本体６の外歯リング７とコーミング係合している。
【００２６】
図３は、固定位置で、第二のリングセグメント対２３の領域には、そこに位置するスナップ嵌めロックリング２０の外面とその対向するマーキングリング３の内周面との間に中間スペースが残っていることにより、そこに半径方向間隙がスナップ嵌めロックリング２０とマーキングリング３の間に存在することを示す。
【００２７】
図４は、マーキングリング３を接眼レンズマウント２に対して回転させることができる変位位置にある接眼レンズ保持装置１を示す。
変位位置では、スナップ嵌めロックリング２０は、第二のリングセグメント対２３の領域にあるスナップ嵌めロックリング２０の外面がスナップ嵌めロックリングに対向するマーキングリング３の内面領域上に載るように固定位置に対して変形される。したがって、スナップ嵌め突起２４は、一方では、本体６の第一の外周段部８により且つ他方では保持リング１５の軸方向前端部２８により形成される軸方向に作用するスナップ嵌め受けを退去する。それ故、スナップ嵌めロックリング２０は、マーキングリング３とともに保持リング１５に向かって軸方向に変位可能であり、ついにはスナップ嵌めロックリングが、この変位運動に対する軸方向停止を表す、保持リング１５の周方向段部１９で図４に示した変位位置に静止することになる。
【００２８】
図４に示した本体６に対するマーキングリング３の位置では、本体６の外歯リング７とマーキングリング３の内歯リング２７が噛み合っていないので、マーキングリング３を本体６に対して本体６の回転対称軸を中心として回転させることができる。
【００２９】
固定位置（図２，３参照）から変位位置（図４参照）へのスナップ嵌めロックリング２０の変形は、外側から切り換えクリップ２２の上に半径方向圧力を加えることにより行われる。その過程で、スナップ嵌めロックリング２０の内径が第一のリングセグメント対２１の領域で減少する。第二のリングセグメント対２３の領域のスナップ嵌めロックリング２０の外面領域とその対向するマーキングリング３の内周領域の間の中間スペースとスナップ嵌めロックリング２０の基本的形状のため、第一のリングセグメント対２１の領域におけるスナップ嵌めロックリング２０の内径の減少には、第二のリングセグメント対２３の領域におけるスナップ嵌めロックリング２０の内径の拡大が伴う。その結果として、スナップ嵌め突起２４が前述したようにそれらの軸方向スナップ嵌め受けから変位して、今やスナップ嵌め突起の固定位置で軸方向スナップ嵌め受けの位置に対して移動する。
【００３０】
変位位置から固定位置へリセットする操作は、マーキングリング３の内歯リング２７が再び本体６の外歯リング７と噛み合うようにマーキングリング３を本体６に対して軸方向に移動させることにより行われる。この移動はスナップ嵌め突起２４が再びスナップ嵌めするまで続けられる、すなわちスナップ嵌め突起が軸方向に作用するスナップ嵌め受けと係合するまで続けられる。このマーキングリング３は、一方では、スナップ嵌め突起２４により軸方向にロックされるスナップ嵌めロックリング２０により、且つ他方では、スナップ嵌め突起２６によるこの移動方向に関するスナップ嵌めロックリング２０に対するマーキングリング３の軸方向ロックにより固定位置を越えて移動しないように防止されている。この後者の移動ロックは、切り換えクリップ２２で実施され且つマーキングリング３の補完的ロック段部３１と協働するロック段部３０（図２参照）によっても付加的に高められる。
【００３１】
マーキングリング３の調節過程のスナップショットを図６〜９に示す。これらの図は、接眼レンズ保持装置１の領域における一対の双眼鏡の細部を示す。
図６は、最初の固定位置にある接眼レンズ保持装置を示す。マーキング鼻部２９が、ダイアル４上の数字「０」を指示する位置に位置している。
【００３２】
図７は最初の変位位置にある接眼レンズ保持装置１を示し、この最初の変位位置は、図６の最初の固定位置から始まって、両方の切り換えクリップ２２の上を半径方向に押圧し、引き続きマーキングリング３を接眼レンズマウント２に対して軸方向に上方へ移動させることにより達成される。
【００３３】
図８は第二の変位位置にある接眼レンズ保持装置１を示し、この変位位置は、図７の最初の変位位置に対し相対的に、マーキングリング３を接眼レンズマウント２に対し回転させることにより達成された。第二の変位位置では、マーキング鼻部２９が、ダイアル上の数字「＋１」を指示する位置にある。
【００３４】
図９は接眼レンズ保持装置１の第二の固定位置を示し、この固定位置は、図８の第二の変位位置から、マーキングリング３を接眼レンズマウント２に対し下方へ戻すように軸方向に摺動させることによりつくられた。
【図面の簡単な説明】
【図１】固定位置に示した本発明の接眼レンズ保持装置の部分分解配列斜視図である。
【図２】接眼レンズの光軸を含む切断平面による図１の接眼レンズ保持装置の断面を示す。
【図３】図２の切断平面に垂直な、接眼レンズの光軸を含む切断平面による図１の接眼レンズ保持装置の断面を示す。
【図４】変位位置にある、図３の断面と同様な接眼レンズ保持装置の断面を示す。
【図５】固定位置にある接眼レンズ保持装置の斜視図である。
【図６】接眼レンズ保持装置のマーキングリングが２つのマーキング位置の間を変位中のスナップショットのうち、最初の固定位置にある接眼レンズ保持装置を示す。
【図７】接眼レンズ保持装置のマーキングリングが２つのマーキング位置の間を変位中のスナップショットのうち、最初の変位位置にある接眼レンズ保持装置を示す。
【図８】接眼レンズ保持装置のマーキングリングが２つのマーキング位置の間を変位中のスナップショットのうち、第二の変位位置にある接眼レンズ保持装置を示す。
【図９】接眼レンズ保持装置のマーキングリングが２つのマーキング位置の間を変位中のスナップショットのうち、接眼レンズ保持装置１の第二の固定位置を示す。
【符号の説明】
１                光学コンポーネントのための保持装置
２                光学コンポーネント保持要素
３                マーキング部材
４                調節マーキング
６                本体
７                歯付リング
７，２０，２７    固定手段
８，２８，３１    受け凹部
１５              保持リング
２０              スナップ嵌めロック装置
２１，２３        領域
２２              切り換えクリップ
２７              対向部材
【図１】
0004150598.tif 000002
【図２】
0004150598.tif 000003
【図３】
0004150598.tif 000004
【図４】
0004150598.tif 000005
【図５】
0004150598.tif 000006
【図６】
0004150598.tif 000007
【図７】
0004150598.tif 000008
【図８】
0004150598.tif 000009
【図９】
0004150598.tif 000010